(57)【要約】【課題】自動録画装置において、よりユーザの意向に沿った番組の選択、抽出をすることができるようにする。また、更にユーザの編集時の心境にあった編集をすることができるようにする。【解決手段】趣味嗜好情報データベース１１１ａに登録された情報に基づいて、キーワードの検索式を生成する。また、更にユーザインターフェース部１０９を介して入力されたユーザの趣味嗜好情報又は検索式に基づいて、趣味嗜好記憶手段に記憶されたユーザの趣味嗜好情報や個人情報、又は検索式記憶手段に記憶された検索式を編集する。【選択図】        図１
2004193960.tif 000002
【特許請求の範囲】
【請求項１】
外部から供給される所定の番組を、外部から供給される番組情報に基づき選択して自動的に録画する自動録画装置であって、
ユーザが視聴した番組の履歴を、その番組に対応した前記番組情報に含まれる番組属性を示すキーワードと共に記憶する番組視聴履歴記憶手段と、
前記履歴によりユーザの趣味嗜好を判断する判断手段と、
前記判断手段によって判断されたユーザの趣味嗜好を前記番組属性を示すキーワードにより記憶する趣味嗜好記憶手段と、
前記趣味嗜好記憶手段に記憶された前記番組属性を示すキーワードを用いて、前記番組情報に含まれるキーワードを検索するための検索式を生成する検索式生成手段と、
前記検索式を記憶する検索式記憶手段と、
前記履歴により、前記検索式記憶手段に記憶された前記検索式に優先順位を付けるとともに、一度付けた優先順位の変更をも行う第１編集手段と、
ユーザの趣味嗜好又は検索条件を外部から入力する入力手段と、
前記入力手段を介して入力された前記ユーザの趣味嗜好又は前記検索条件に基づいて、前記趣味嗜好記憶手段に記憶されたユーザの趣味嗜好を編集して再度記憶させる、又は前記検索式記憶手段に記憶された検索式を編集して再度記憶させる第２編集手段と、
前記第１編集手段により作成された前記優先順位に基づき、前記検索式記憶手段に記憶されている前記優先順位の高い検索式を優先的に用いて前記番組情報に含まれるキーワードを検索して視聴すべき番組を選択する番組選択手段と、
前記番組選択手段により選択された番組を自動的に録画する録画手段とを、
有する自動録画装置。
【発明の詳細な説明】
【０００１】
【発明の属する技術分野】
本発明は、自動録画装置に関し、特に、ユーザの趣味嗜好に沿う番組情報を自動で録画する自動録画装置に関する。
【０００２】
【従来の技術】
近年、デジタル技術の発展によりＢＳデジタル放送やＣＳ放送など多チャンネル化が進み、ユーザは趣味嗜好にあった放送番組を入手しやすい環境になってきた。また、インターネットを利用したコンテンツ入手も可能になり、番組の録画選択肢が更に増加傾向にある。このような環境の中、ユーザは自身の趣味嗜好に沿った放送番組の抽出が一層困難になってきており、解決方法の一つとして例えば、下記の特許文献１のような受信再生装置や番組の情報提供方法が提案されている。
【０００３】
【特許文献１】
特開２０００−２０１３０３号公報（第３頁、段落００１３、００１４）
【０００４】
この受信再生装置では、放送番組（コンテンツ）と、このコンテンツに係わる情報からキーワードを抽出し、受信再生装置内にあるユーザの趣味嗜好データベースに登録（記憶）する。以降の番組受信においては、趣味嗜好データベースのキーワードと比較判定し、ユーザの趣味嗜好に一致したものを選択受信できるような構成になっている。
【０００５】
【発明が解決しようとする課題】
しかしながら、上記従来例にあっては、番組を受信再生装置側で選択、抽出する際、この構成では趣味嗜好データベースのキーワードと「完全一致」した内容しか受信されない。すなわち、例えば、「サッカー」かつ「ワールドカップ」かつ「特定のチームを除く」といった選択、抽出が不可能なため、ユーザの意向に添えない可能性がある。また、ユーザ自ら趣味嗜好データベースを修正若しくは追加、消去する編集機能がないため、趣味嗜好データベースにキーワード登録が少ない初期段階ではユーザの利便性が低い。さらに、受信再生装置側で番組を自動選択、抽出した結果、複数番組が重複してしまい受信再生装置側の録画可能本数を超えてしまった場合の解決策が存在しないといった課題がある。
【０００６】
そこで、本発明は、よりユーザの意向に沿った番組の選択、抽出をすることができる自動録画装置を提供することを目的とする。
【０００７】
【課題を解決するための手段】
上記課題を解決するために、趣味嗜好記憶手段に記憶された情報に基づいて、キーワードの検索式を生成する検索式生成手段を有し、かつ番組視聴履歴に基づいて検索式に優先順位を付け、また趣味嗜好や検索条件を外部から入力して趣味嗜好記憶手段に記憶された情報を変更したり、検索式を編集可能としている。
【０００８】
すなわち、本発明によれば、外部から供給される所定の番組を、外部から供給される番組情報に基づき選択して自動的に録画する自動録画装置であって、
ユーザが視聴した番組の履歴を、その番組に対応した前記番組情報に含まれる番組属性を示すキーワードと共に記憶する番組視聴履歴記憶手段と、
前記履歴によりユーザの趣味嗜好を判断する判断手段と、
前記判断手段によって判断されたユーザの趣味嗜好を前記番組属性を示すキーワードにより記憶する趣味嗜好記憶手段と、
前記趣味嗜好記憶手段に記憶された前記番組属性を示すキーワードを用いて、前記番組情報に含まれるキーワードを検索するための検索式を生成する検索式生成手段と、
前記検索式を記憶する検索式記憶手段と、
前記履歴により、前記検索式記憶手段に記憶された前記検索式に優先順位を付けるとともに、一度付けた優先順位の変更をも行う第１編集手段と、
ユーザの趣味嗜好又は検索条件を外部から入力する入力手段と、
前記入力手段を介して入力された前記ユーザの趣味嗜好又は前記検索条件に基づいて、前記趣味嗜好記憶手段に記憶されたユーザの趣味嗜好を編集して再度記憶させる、又は前記検索式記憶手段に記憶された検索式を編集して再度記憶させる第２編集手段と、
前記第１編集手段により作成された前記優先順位に基づき、前記検索式記憶手段に記憶されている前記優先順位の高い検索式を優先的に用いて前記番組情報に含まれるキーワードを検索して視聴すべき番組を選択する番組選択手段と、
前記番組選択手段により選択された番組を自動的に録画する録画手段とを、
有する自動録画装置が提供される。
【０００９】
なお、前記ユーザの趣味嗜好情報や個人情報、又は前記検索式を外部機器と送受信するデジタルインターフェース手段を付加することは、外部とユーザの趣味嗜好情報や個人情報、又は検索式のやり取りをすることができるので本発明の好ましい態様である。
【００１０】
また、同一時間帯で録画予約候補が重複した際に、前記優先順位に基づいて優先順位の高いコンテンツの録画予約をすることは、重複した録画予約があっても最良の要求を満たすことができる点で好ましい態様である。
【００１１】
【発明の実施の形態】
以下、本発明の実施の形態について、図１から図７を用いて説明する。
図１は、本発明の自動録画装置の実施の形態の物理的構成を示すブロック図である。同図に示すように、自動録画装置１００は、チューナー１０１、ストリーム抽出／符号化部１０２、ＣＰＵ１０３、ＲＯＭ／ＲＡＭ１０４、番組表保持部１０５、デジタルＩ／Ｆ１０６、無線部１０７、表示デコーダ部１０８、ユーザインターフェース部１０９、外部メモリＩ／Ｆ１１０、第１データベース１１１、第２データベース１１２から構成されている。これら各部について以下に説明する。
【００１２】
チューナー１０１は、地上波やＣＳ・ＢＳデジタル放送などを受信する。ストリーム抽出／符号化部１０２は、アナログ放送であればＭＰＥＧ（Ｍｏｖｉｎｇ  Ｐｉｃｔｕｒｅ  Ｅｘｐｅｒｔｓ  Ｇｒｏｕｐ）などへ符号化する。デジタル放送であればコンテンツ・ストリームや電子番組ガイド（ＥＰＧ）、コンテンツ属性情報などを抽出する。ＣＰＵ１０３は、各種周辺機器の制御や外部機器との通信制御などを行う。例えば、通信制御用のＴＣＰ／ＩＰフロー制御や電子番組ガイドの情報の取得制御、さらにはユーザの指示に従った応答作業を行う。また、デジタルＩ／Ｆ１０６がＩＥＥＥ１３９４やＵＳＢなどならば各標準規定のプロトコル制御を行う。
【００１３】
ＲＯＭ／ＲＡＭ１０４は、ＣＰＵ１０３に必要な制御情報や変数が格納される。番組表保持部１０５は、デジタルＩ／Ｆ１０６若しくは無線部１０７若しくはストリーム抽出／符号化部１０２から入手した電子番組ガイドを保持するメモリである。例えば、フラッシュメモリやＲＡＭが該当する。デジタルＩ／Ｆ１０６は、不図示の外部機器と接続されるインターフェースである。例えば、ＬＡＮコントローラ、ＩＥＥＥ１３９４、ＵＳＢなどが該当する。
【００１４】
無線部１０７は、ＩＥＥＥ８０２．１１で規定の無線Ｉ／Ｆ、若しくはリモコンや赤外無線付ＰＤＡ、携帯電話などと通信を行うＩ／Ｆである。表示デコーダ部１０８は、コンテンツ情報の再生表示、符号化データのデコード復号、チューナー１０１からの信号を再生表示する。ユーザインターフェース部１０９は、主にユーザの趣味嗜好を保持するデータの編集に使用する。例えば、キーボードやマウスなどが該当する。外部メモリＩ／Ｆ１１０は、外部のメモリへ趣味嗜好情報を物理的に移動（若しくはコピー）するＩ／Ｆである。
【００１５】
第１データベース１１１は、趣味嗜好情報データベース１１１ａ、検索式履歴データベース１１１ｂ、番組視聴履歴データベース１１１ｃ、録画予約データベース１１１ｄから構成されている。これら各データベースについて以下に説明する。趣味嗜好情報データベース１１１ａは、ユーザが視聴した結果やユーザ自身がカスタマイズした趣味嗜好情報を保持するデータベースである。検索式履歴データベース１１１ｂは、ユーザが視聴する以前に登録（記憶）した検索式一覧を保持するデータベースである。番組視聴履歴データベース１１１ｃは、ユーザの視聴した番組を保持するデータベースである。録画予約データベース１１１ｄは、ユーザ自ら予約した予約情報や自動録画する予約情報を保持するデータベースである。
【００１６】
第２データベース１１２は、コンテンツ情報蓄積部１１２ａとコンテンツ履歴情報蓄積部１１２ｂとから構成されている。これら各部について以下に説明する。コンテンツ情報蓄積部１１２ａは、放送番組若しくはユーザの意思で入手したコンテンツを保持する。コンテンツ履歴情報蓄積部１１２ｂは、コンテンツ情報蓄積部１１２ａに保持したコンテンツ情報に関する属性情報であるコンテンツ属性情報を保持する。例えば、コンテンツ保護やコンテンツの著作権管理、コンテンツ料金（課金）管理などの情報が含まれている。
【００１７】
ここで、上記第１データベース１１１、第２データベース１１２、及び番組表保持部１０５は、物理的に同一な記憶素子であっても構わない。すなわち、例えば、半導体メモリ、ハードディスク、光ディスクなどを用いて論理的に区別されていても構わない。ただし、図１に示すように自動録画装置１００を構成することによって、消費電流削減を目的として第１データベース１１１と第２データベース１１２との電源を落とし、必要に応じて電源を投入することも可能である。したがって、番組を再生・録画・受信する必要がない場合、極力、待機電流を削減できるメリットがある。また、番組表保持部１０５を別途に持ち、なおかつ着脱可能であれば番組表保持部１０５をユーザが持ち出すことも可能である。
【００１８】
次に、上記コンテンツ、コンテンツ属性情報、及び電子番組ガイドの入手経路例を以下に示す。ここで、上記コンテンツ属性情報と電子番組ガイドとは、ユーザがコンテンツを視聴すると自動的に受信することが可能となっている。まず、インターネット放送による入手の場合には、デジタルＩ／Ｆ１０６若しくは無線部１０７と接続された不図示のインターネット網からコンテンツ属性情報や電子番組ガイドを受信し、ＣＰＵ１０３を介していったんＲＯＭ／ＲＡＭ１０４のＲＡＭなどに保持される。ＣＰＵ１０３の処理負担が大きい場合には直接ＲＯＭ／ＲＡＭ１０４のＲＡＭなどへ転送されても構わない。ＣＰＵ１０３は、ＲＯＭ／ＲＡＭ１０４のＲＡＭなどの内容を確認し、番組表保持部１０５、第１データベース１１１、及び第２データベース１１２など適切な保持部へ転送する。
【００１９】
また、地上波やＣＳ・ＢＳデジタル放送による入手の場合には、チューナー１０１は、赤外線リモコンなどユーザインターフェース部１０９から受信したユーザ指定のコンテンツを選局したり、録画のためにＣＰＵ１０３が指示したコンテンツを選局する。選局された信号は、ストリーム抽出／符号化部１０２により多重化された信号を復号化し、必要ならば表示デコーダ部１０８、第１データベース１１１、及び第２データベース１１２、及びＲＯＭ／ＲＡＭ１０４のＲＡＭなどへ転送する。
【００２０】
また、ストリーム抽出／符号化部１０２は、主にアナログ信号をデジタル信号へ符号化する機能を有している。例えば、ＭＰＥＧなどのエンコードを行う。既存地上波のようなアナログ信号の場合、コンテンツ属性情報や電子番組ガイドはインターネット（デジタルＩ／Ｆ１０６や無線部１０７）から入手するか、若しくは外部メモリＩ／Ｆ１１０を介して入手する。このように、アナログ信号の場合は、ユーザが所望の属性情報や電子番組ガイドを入手する必要がある。例えば、ユーザが赤外リモコンを操作し「Ｇコード」予約した際に、ＣＰＵ１０３はＧコード番号から属性情報を入手するためにインターネットへアクセスする方法がある。
【００２１】
次に、ユーザが視聴することによって入手した上記コンテンツの履歴情報から、趣味嗜好情報を判断し、抽出する例を説明する。ここで、趣味嗜好情報として、例えば、趣味嗜好を表すキーワードがある。ＣＰＵ１０３は、ユーザが視聴したコンテンツの履歴情報から趣味嗜好キーワードを抽出する。例えば、視聴累積数の統計からユーザの好みの度合いを判断し、趣味嗜好キーワードを抽出する。他にも、最近視聴した順から優先度を決定したり、視聴累積数、視聴順、又は視聴時間などに重み付けを与えて抽出する方法が考えられる。ここで、趣味嗜好キーワードを登録（記憶）するデータベースがオーバーフローする場合も想定されるが、上記の場合、好みの度合いの低いものから順に削除されることが考えられる。ＣＰＵ１０３は、抽出された趣味嗜好キーワードを図１に示す趣味嗜好情報データベース１１１ａに保持する。ここで、上記重みを付けて抽出する方法は、短時間の間にユーザが選局を多数行う場合に、興味が無いコンテンツと判断する必要がある点で有効である。単純には、規定値以上の時間の間、同一コンテンツを視聴・選局していた場合に、興味があると判断しても構わない。
【００２２】
次に、趣味嗜好情報データベース１１１ａに保持された趣味嗜好キーワードの編集について説明する。機器を購入した初期段階では、ユーザの趣味嗜好キーワードが必ずしも一致するとは限らないため、ユーザの好みを直接編集することができる構成が望まれる。以下に、コンテンツの送信側からキーワード一覧をあらかじめダウンロードし、ユーザに趣味嗜好キーワードを選択させる方法について説明する。
【００２３】
例えば、ユーザがＣＳ放送のコンテンツを視聴している際、コンテンツ送信側は、コンテンツ属性情報のみでなくキーワード一覧を多重化し送信する。コンテンツの受信側である自動録画装置１００では、ストリーム抽出／符号化部１０２がコンテンツ、コンテンツ属性情報、及びキーワード一覧を抽出し、所定のデータベースや表示デコーダ部１０８へ転送する。上記キーワード一覧は、赤外線リモコンなどのユーザインターフェース部１０９からのユーザ指示があればディスプレイなどの表示部を介して表示することも可能である。
【００２４】
このとき、図２のような画面を表示し、ユーザ指定のキーワードを選択させ、ユーザの好みに応じて指定することが可能である。同図に示すように、最初の画面において、「スポーツ」を選択すると、次の画面において、「スポーツ」に関連する情報（以下、二次情報という）が表示される。例えば、「サッカー」や「バレーボール」などである。ユーザがこの二次情報の中から更に選択することによって、より具体的な趣味嗜好キーワードを選択することができる。ここで、同図のキーワード一覧は、最初の画面におけるキーワードと二次情報のみ図示しているが、更に下位に三次、四次情報などを有する構成であっても構わない。
【００２５】
また、インターネット放送の場合においては、コンテンツ送信側から送信されるキーワード一覧はデジタルＩ／Ｆ１０６や無線部１０７などから入手すればよい。ユーザのキーワードの選択方法は、上記ＣＳ放送の場合と同様であるため説明は省略する。
【００２６】
次に、コンテンツ送信側からのキーワード一覧によらず、ユーザが直接、趣味嗜好キーワードを選択する方法について以下に説明する。ユーザが直接、趣味嗜好キーワードを選択する際は、コンテンツ送信側のキーワードと直接選択された趣味嗜好キーワードが一致するとは限らないため、ユーザの好みのコンテンツを録画することは困難が予想される。したがって、自動録画装置１００において、ユーザ選択のキーワードとコンテンツ送信側のキーワードが一致しなかった場合、以下の方法で合致するようにする。
【００２７】
ユーザが選択したキーワードの一部分とコンテンツ送信側のキーワードの一部分とが一致するキーワード候補を表示し、ユーザに選択させる。もし、上記部分に一致するキーワードが無い場合は、「コンテンツ送信側のキーワードと一致しないため、好みのコンテンツを自動録画できるか分かりません」という旨の表示をし、ユーザ選択のキーワードから自動録画する。若しくはキーワードの部分に一致も無かった場合は、自動録画しないなどの方法が考えられる。
【００２８】
次に、ユーザの好みを自動判別する際、コンテンツ送信側のキーワードとユーザの趣味嗜好キーワードとが単純に一致しているか否か判断するのみでは、ユーザの好みに近づいているか懸念が残る。そこで、本発明では、キーワードの完全一致のみでなくキーワードからなる検索式をも登録することによって一層ユーザの趣味嗜好に沿った自動録画ができるように構成する。
【００２９】
そこで、上記検索式が決定されるステップを図３を用いて以下に説明する。例えば、ユーザの趣味嗜好が「映画」の場合を考える。ユーザが「映画」を好んで視聴すると統計的にキーワード「映画」が登録される。ここで、キーワード分類１は「映画」以外にも、不図示の「音楽」、「社会」、「スポーツ」、「旅」などコンテンツの大分類を示すキーワードがある。キーワード分類２並びにキーワード分類３は、キーワード分類１から更に属性情報を絞り込むために、「国内」、「海外」、「製作国」、「製作団体」などが含まれる。キーワード分類４では、コンテンツ属性情報の一つとして「映画のタイトル」が示されており、キーワード分類５では、コンテンツの内容を特徴付けるキーワードが含まれる。例えば、同図の上段において、「国内」の映画で「ＡＢＣカンパニー」が製作したタイトル「明日があるよ」は、「ロマンス」と「アクション」が特徴であると読める。
【００３０】
コンテンツ送信側においては、キーワード分類５のキーワード（特徴）は事前に登録され、同図の下段に示す一覧表のように「バイオレンス」、「成人」、「恋・ロマンス」などといった全キーワードが存在する。このキーワード分類５のキーワード一覧表は、ユーザによって「映画」が視聴されるとコンテンツ送信側から配信されるので、入手若しくは更新を行う。
【００３１】
例えば、既にユーザの趣味嗜好キーワードに「映画」「ハリウッド」が登録されており、統計からキーワード「バイオレンス（凶暴）」を含む映画の視聴回数が少ないと判断した場合、ユーザは「バイオレンス」を含む映画を好まないと判断し、「バイオレンス」を含む映画の自動録画の優先順位を下げる。このときの検索式は、「映画」ａｎｄ「ハリウッド」ｎｏｔ  ｉｎｃｌｕｄｅ「バイオレンス」といった検索式となる。図３に示す例では、タイトル「Ｍｉｓｓｉｏｎ  Ｐｏｓｓｉｂｌｅ」は「バイオレンス」を含んでいないので、自動録画の優先順位は高くなる。一方、「バイオレンス」を含んでいれば優先順位は低くなる。ここで、上記検索式は、図１に示す第１データベース１１１の検索式履歴データベース１１１ｂに登録され、次回以降に使用されても構わない。
【００３２】
上記検索式は、ユーザによって編集可能であり、「ａｎｄ」「ｏｒ」「ｎｏｔ  ｉｎｃｌｕｄｅ」などの検索条件が指定可能である。編集は、上述した趣味嗜好キーワードの編集と同様であり、ユーザからの指示によって、第１データベース１１１の検索式履歴データベース１１１ｂに登録された検索式が表示される。この表示に基づいて、ユーザは、直接検索式を編集する。
【００３３】
次に、上述した検索式のユーザによる編集を自動的に行う場合を以下に説明する。上述した例で、ユーザがキーワード「バイオレンス」を含む映画の視聴を始めた段階における検索式の優先順位と検索式の一例を図４に示し、説明する。同図の左テーブルは、自動録画する際の優先順位と検索式とを関連付けた検索式テーブルの例を示している。検索式（「映画」ａｎｄ「ハリウッド」ｎｏｔ  ｉｎｃｌｕｄｅ「バイオレンス」）の優先順位が最も高く、続いて検索式（「旅」ａｎｄ「国内」ａｎｄ「温泉」）である。優先順位が４番目以降の検索式は未登録であり、更にユーザの好みを指定できる状態となっている。
【００３４】
ここで、同図では、説明を簡単にするため４つの検索式のみ登録可能としているが、４つ以上の検索式の登録も可能である。上記左テーブルの状態において、ユーザが図３のタイトル「Ｔｅｒｍｉｎａｔｅ４」という映画を視聴した場合、「Ｔｅｒｍｉｎａｔｅ４」のキーワード分類５には、「バイオレンス」「ロマンス」が含まれている。これは、図４の左テーブルの検索式と相反するため、優先順位を１つ下げ、優先順位が２番目であった検索式が１つ上がり、図４の右テーブルに示す状態となる。さらに、ユーザはこの段階で「バイオレンス」と「ロマンス」のどちらに興味があるか分からないため、図４の右テーブルに示すように、検索式を（「バイオレンス」ｏｒ「ロマンス」）として優先順位の最も低い位置に登録する。
【００３５】
次に、上述した検索式に基づいて録画予約する場合を考える。録画予約をする場合、ユーザによる予約が最も優先順位が高く、自動録画の予約が既に存在していてもユーザ指定のコンテンツを優先して録画する。図４で説明した検索式と上記電子番組ガイドとを照らし合わせ、合致したコンテンツを自動録画するため、図５（ａ）に示す左テーブルのような自動録画予約テーブルを作成する。なお、自動録画予約指定する際、つまり図５（ａ）に示す左テーブルを作成する際、自動録画予約テーブル中に同一時間帯で受信録画可能数を超えてしまう場合がある。このときは、図４における優先順位が高いコンテンツが優先される。
【００３６】
ここで、ユーザにどちらのコンテンツを選択するか表示・連絡し、ユーザの指示に従いコンテンツを録画しても構わない。ユーザの指示がなければ図４に示す優先順位の高いコンテンツが録画される。また、ユーザがユーザインターフェース部１０９などから録画予約を指示した場合、自動録画予約テーブル中、優先順位を高くして登録される。図５（ａ）に示す左テーブルの状態で、ユーザからの録画予約が発生し、時間帯の重複がなければ自動録画予約テーブルは、右テーブルのように修正される。ここで、優先順位を書き換える方法も考えられる。
【００３７】
図５（ｂ）の例において、左テーブルには、自動録画指定「２００２／６／３  １８：３０〜２０：３０」の時間帯に録画予約が入っている。この状況でユーザが「２００２／６／３  １９：００〜２１：００」の時間帯に録画予約した場合には、右テーブルに示すようにユーザの録画予約が優先して登録される。上記の当初左テーブルに入っていた録画予約はキャンセルされる。
【００３８】
次に、本実施の形態の動作を図６と図７とに基づいて説明する。図６は、自動的に番組予約を選択するＣＰＵ１０３の動作の一例を示すフロー図である。まず、電子番組ガイドとしての番組表が入手されているか否かを判断する（Ｓ６００）。もし、入手されていなければ、入手をする（Ｓ６０１）。次に、入手が失敗したか否かを判断し、失敗すればＱｕｉｔし、成功すれば次のステップへ進む（Ｓ６０２）。次に、第１データベース１１１の検索式履歴データベース１１１ｂに検索式の登録があるか否かを判断する（Ｓ６０３）。もし、登録がなければキーワードや検索式を入力するように促す（Ｓ６０４）。促したにもかかわらず指定がなければＱｕｉｔし、指定があれば次のステップに進む（Ｓ６０５）。次に、登録された検索式の中から優先順位の一番高い検索式を指定する（Ｓ６０６）。
【００３９】
次に、全ての検索式について録画予約が終了したか否かを判断し、終了したと判断すればＱｕｉｔする（Ｓ６０７）。全ての検索式について録画予約が終了していないと判断した場合に、検索式に合致する自動予約番組候補を電子番組ガイド（番組表）から選択し抽出する（Ｓ６０８）。次に、受信同時録画可能数をオーバーするか否かを判断する（Ｓ６０９）。オーバーすると判断した場合にはＡに続くステップを実行する。Ａに続くステップは、後述する。次に、第１データベース１１１の録画予約データベース１１１ｄに予約時間、チャンネルなどを登録する（Ｓ６１０）。次に、必要に応じてユーザへどんなコンテンツが録画予約されたかを通知する（Ｓ６１１）。例えば、テレビ画面に表示することが考えられる。この際、番組のタイトルなどの情報を表示する。次に、次の優先順位の高い検索式を選択し（Ｓ６１２）、上記各ステップを行い、選択する検索式がなくなればＱｕｉｔする（Ｓ６１２→Ｓ６０７）。
【００４０】
ここで、上述したＳ６０９において、受信同時録画可能数をオーバーすると判断した場合、重複した番組一覧をユーザに対して通知や表示を行う（Ｓ６１３）。次に、ユーザ指定の録画予約と重複するか否かを判断する（Ｓ６１４）。次に、重複していないと判断した場合に、ユーザの入力で解決するか否かを判断する（Ｓ６１５）。ユーザ入力でも解決しないときは、検索式の優先順位、番組表から早く見つかった番組を優先するなどして予約番組を自動選択する（Ｓ６１６）。ステップＳ６１４又はステップＳ６１５でＹｅｓならユーザ指定の予約を優先する（Ｓ６１７）。ステップＳ６１６又はＳ６１７を終了するとステップＳ６１０に行く。以上のステップにより、自動的に番組予約を選択する。
【００４１】
次に、ユーザからの録画予約が生じた際の自動録画予約テーブルの変更・修正を図７を用いて説明する。まず、既に番組予約が自動録画予約テーブルに存在するか否かを判断する（Ｓ７００）。次に、番組予約が自動録画予約テーブルに存在しないと判断された場合に、自動録画予約テーブルに登録してＱｕｉｔする（Ｓ７０１）。次に、番組予約が自動録画予約テーブルに存在すると判断した場合に、同一時間帯に録画予約があるか否かを判断し、録画予約がないと判断すればステップＳ７０１と同様の処理を行う（Ｓ７０２）。次に、同一時間帯に録画予約があると判断した場合に、受信同時録画可能数をオーバーするか否かを判断し、オーバーしないと判断すればステップＳ７０１と同様の処理を行う（Ｓ７０３）。
【００４２】
次に、受信同時録画可能数をオーバーすると判断すれば、重複した番組予約一覧をユーザに対して通知や表示を行う（Ｓ７０４）。次に、ユーザの指定により解決されるか否かを判断し、解決できれば、ステップＳ７０１と同様の処理を行う（Ｓ７０５）。次に、ユーザの指定により解決されないと判断した場合に、重複した番組の中に自動録画予約されたものがあるか否かを判断する（Ｓ７０６）。次に、重複した番組の中に自動録画予約されたものがあると判断した場合に、自動録画予約の番組の登録を削除する（Ｓ７０７）。ここで、ユーザからの録画予約同士が重複している場合（ステップＳ７０６でＮｏのとき）には、古く登録された番組予約候補をユーザに通知し、登録を削除し、新規の録画予約を優先して自動録画予約テーブルに登録する（Ｓ７０８）。ステップＳ７０７又はＳ７０８を終了するとステップＳ７０３へ戻る。以上のステップにより、ユーザからの録画予約が生じた際の自動録画予約テーブルの変更・修正を行う。
【００４３】
以上説明した実施の形態によれば、ユーザの意向に沿った番組の選択、抽出ができ、またユーザ自ら趣味嗜好データベースのキーワード編集をすることができるため、ユーザの編集時の心境にあった編集をすることができる。
【００４４】
ここで、本発明は、上記実施の形態に限られるものではない。例えば、自動録画装置１００は、上記趣味嗜好情報や個人情報を別機器とネットワークを介して送受信することができる。また、前記趣味嗜好情報や個人情報は、情報記憶媒体に格納することによって別機器によって利用することができる。
【００４５】
また、自動録画装置１００の利用者毎に識別情報が割り振られ、識別情報毎に上述した自動録画予約ができる。
【００４６】
【発明の効果】
本発明は、上記のように構成され機能するので、よりユーザの意向に沿った番組の選択、抽出をすることができ、入力手段と編集手段とを有するので、ユーザ自ら趣味嗜好データベースのキーワード編集をすることができるため、ユーザの編集時の心境にあった編集をすることができるという効果を奏する。
【図面の簡単な説明】
【図１】本発明の自動録画装置の実施の形態の物理的構成を示すブロック図である。
【図２】上記実施の形態におけるコンテンツ送信側から送信されたキーワード一覧からキーワードを選択するための選択画面である。
【図３】上記実施の形態におけるキーワード分類表である。
【図４】上記実施の形態における検索式の優先順位と検索式のテーブルのデータ構造を示す図である。
【図５】上記実施の形態における録画予約テーブルのデータ構造を示す図である。
【図６】上記実施の形態における自動的に行われる番組予約選択のフロー図である。
【図７】上記実施の形態におけるユーザからの録画予約が生じた際の自動録画予約テーブルの変更・修正のフロー図である。
【符号の説明】
１００  自動録画装置
１０１  チューナー
１０２  ストリーム抽出／符号化部
１０３  ＣＰＵ（判断手段、検索式生成手段、編集手段）
１０４  ＲＯＭ／ＲＡＭ
１０５  番組表保持部
１０６  デジタルＩ／Ｆ
１０７  無線部
１０８  表示デコーダ部
１０９  ユーザインターフェース部（入力手段）
１１０  外部メモリＩ／Ｆ
１１１  第１データベース
１１１ａ  趣味嗜好情報データベース（趣味嗜好記憶手段）
１１１ｂ  検索式履歴データベース（検索式記憶手段）
１１１ｃ  番組視聴履歴データベース（番組視聴履歴記憶手段）
１１１ｄ  録画予約データベース
１１２  第２データベース
１１２ａ  コンテンツ情報蓄積部
１１２ｂ  コンテンツ履歴情報蓄積部
【図１】
2004193960.tif 000003
【図２】
2004193960.tif 000004
【図３】
2004193960.tif 000005
【図４】
2004193960.tif 000006
【図５】
2004193960.tif 000007
【図６】
2004193960.tif 000008
【図７】
2004193960.tif 000009